(57)【要約】【課題】  ランプを光源として使用した面光源装置においては、ランプのリード線の引き回しによって狭額縁化を達成することが難しく、また不必要にバックケースの外面に露呈させてしまうことで外力によって損傷する虞があったが、これらの恐れを払拭しつつ狭額縁化を可能とした面光源装置を提供する。【解決手段】  バックケース１１内に導光板１８を収容し、この導光板１８の側面に両端にランプホルダー２０，２１を備えたランプ１９を対向配置し、バックケース１１内部の底面に外方に突出する凹部１４を形成し、この凹部１４内にランプ１９のリード線３３を収容する。【選択図】  図１
2007035481.tif 000002
【特許請求の範囲】
【請求項１】
側面より光を導入しこの導入された光を出射面方向に放射する導光板と、この導光板の側面に配置され両端にリード線を有する線状のランプと、このランプの光を反射する前記導光板の反射面側に配置される反射シートと、この反射シート及び前記ランプ、前記導光板を収容するバックケースとを備える面光源装置において、
前記バックケース底面に外方に突出する凹部を形成し、この凹部内に前記リード線を収容したことを特徴とする面光源装置。
【請求項２】
前記凹部内に収容されたリード線の上側に前記ランプを設置したことを特徴とする請求項１記載の面光源装置。
【請求項３】
前記ランプと前記リード線との間に前記反射シートを介在させたことを特徴とする請求項２記載の面光源装置。
【請求項４】
前記ランプと前記リード線とは同一のランプホルダーによって保持されていることを特徴とする請求項２または３記載の面光源装置。
【請求項５】
前記凹部によって区画された前記バックケースの底面外側に配線基板を配設したことを特徴とする請求項１記載の面光源装置。
【発明の詳細な説明】
【技術分野】
【０００１】
本発明は、液晶表示装置等の透過型液晶パネルを照射するのに好適な面光源装置に関する。
【背景技術】
【０００２】
液晶表示装置は、消費電力が少なく、また軽量で薄型・小型化に適しており、パーソナルコンピュータやテレビジョン受像機、携帯端末及びナビゲーションシステム等の各種モニターとして広く活用されている。このような液晶表示装置においては、反射型の液晶表示装置と透過型の液晶表示装置が存在するが、明るさの点において透過型の液晶表示装置が多用されている。この透過型の液晶表示装置では、バックライトと称されている面光源装置が使用されており、この面光源装置では冷陰極管からなるランプと導光板等を組合せて使用されている。
【０００３】
即ち、この導光板とランプホルダーを有したランプとは、バックケース内に導光板を配置し、この導光板の側面に両端電極部分を覆うように形成したランプホルダーを備えたランプを対向配置しているものである。
【０００４】
このランプホルダーは、一端からランプを挿入し、このランプの内部電極に接続されたアウターリードにリード線をランプホルダー内部で半田付け接続され、このリード線を介して高周波電圧をランプに供給することで、ランプを交流駆動させて点灯させている。
【０００５】
なお、導光板とバックケース底板との間には反射シートが介在され、更に、このバックケースには上ケースが嵌合固定されている。
【０００６】
このように構成することにより、ランプにて発光した光は導光板の中に導光板側面から導入されるとともに、その一部は反射シートで反射されて、ランプで発光した光を導光板や各種光学シートを利用して液晶パネル側に照射し、画像を表示するための光源として使用されている（例えば、特許文献１参照）。
【０００７】
しかしながら、このような面光源装置に使用されているランプのリード線は、バックケース面に対してランプと平行に配置することが一般的であり、この配置の場合には、導光板側面とバックケース内側面間には、ランプと反射シートによって形成されているリフレクタ及びリード線が介在することになり、狭額縁化に対応することが難しい。
【０００８】
このような観点から、リード線をバックケースの底面外側に導出し、この導出されたリード線をバックケース底面外側に形成した溝やボス等の固定手段によって固定保持する構成とした面光源装置も知られている（例えば、特許文献２参照）。
【０００９】
この面光源装置においては、導光板とバックケース内側面間にはリード線が介在しないので、狭額縁化の一手段と考えられる。
【特許文献１】特開２００５−５５９２４号公報（図１）
【特許文献２】特開平７−２２５３２１号公報（図２）
【発明の開示】
【発明が解決しようとする課題】
【００１０】
このような面光源装置においては、狭額縁化に対応させることが難しく、あるいは本来の面光源装置では不要と考えられるリード線固定手段を特別にバックケース底板の外側面上に設けているばかりでなく、リード線がバックケース底板から外部に露呈しているために、面光源装置の組立時や液晶パネルとの組合せ時等において損傷させてしまう虞がある。
【００１１】
本発明はこのような問題点に鑑みてなされたもので、リード線を所定の位置に保持しつつ狭額縁化にも対応することを可能にした面光源装置を提供することを目的とする。
【課題を解決するための手段】
【００１２】
この発明に係る面光源装置は、側面より光を導入しこの導入された光を出射面方向に放射する導光板と、この導光板の側面に配置され両端にリード線を有する線状のランプと、このランプの光を反射する導光板の反射面側に配置される反射シートと、この反射シート及びランプ、導光板を収容するバックケースとを備える面光源装置において、バックケース底面に外方に突出する凹部を形成し、この凹部内にリード線を収容させたことを特徴とする。
【発明の効果】
【００１３】
本発明によれば、ランプのリード線はバックケース内に収容させることができ、このため外部からの外力による破損等が防止されるとともに、狭額縁化にも対応可能な面光源装置を提供することができる。
【発明を実施するための最良の形態】
【００１４】
以下、本発明に係る面光源装置の実施の形態について、図面を参照して詳細に説明する。
【００１５】
本発明に係る面光源装置は、図１に示すように、バックケース１１を有している。このバックケース１１は、図２及び図３にも示すように、ステンレス等の金属材料から形成される略四角形状の底板１２、及びこの底板１２の4辺を夫々底板１２と直交する方向に設けた側板１３からなっている。このバックケース１１の底板１２と側板１３との連接部内面部分には、底板１２の内面を側板１３と平行となる外側方向に突出させて形成した凹部１４が内周面に環状に形成されている。更に、一つの側板１３の略中央部分には、側板１３端縁から底板１２方向に切り欠いた切欠部１５が形成されるとともに、各側板１３の側面には複数の鉤部１６が形成されている。
【００１６】
このように構成されているバックケース１１内には、凹部１４を覆いながら底板１２及び側板１３の内面に略沿うように白色の反射シート１７が収容されている。この反射シート１７は合成樹脂によって形成したり、合成樹脂に銀、あるいはアルミニウム等の反射箔を貼着や蒸着等の手段で形成したり、アルミニウム箔自体から構成する等の手段によって構成されている。
【００１７】
この反射シート１７上には、一表面上に多数のプリズムを設けた耐熱アクリル樹脂等から形成される略四角形に形成された導光板１８が配置され、この導光板１８の対向する長手方向の側面には、線状光源として機能する冷陰極管からなるランプ１９が配置され、このランプ１９には、ランプ１９の両端電極部分を被覆するゴム材や弾性合成樹脂等から形成された一対のランプホルダー２０，２１が配置される。
【００１８】
このランプホルダー２０，２１を所定の位置に配置するために、導光板１８の各角部を切欠して形成した係止部２２が夫々設けられるとともに、反射シート１７の各角部にも同様に係止部２３が形成され、これら反射シート１７、ランプ１９及び導光板１８等によって発光ユニット２４を形成している。
【００１９】
この導光板１８の上には拡散シート２５及び複数のプリズムシート２６，２７等からなる光学シート２８が配置され、この光学シート２８を含む上述した各種構成要素部品をバックケース１１中に収容した後に、中央部に開口２９を設けた枠状の上ケース３０でバックケース１１の開放面側を保持し、この上ケース３０とバックケース１１とを各々に設けた透孔３１と鉤部１６等の係合手段によって嵌合保持している。
【００２０】
また、バックケース１１の底板１２に設けた凹部１４によって区画された外側面には、各種電気部品や配線パターンが施された配線基板３２が収容される。この配線基板３２は、例えばランプ１９あるいは液晶パネルの駆動回路等を搭載するのに利用され、これらから面光源装置を構成している。
【００２１】
ここでは図示していないが、この面光源装置上に液晶パネルが載置され、この液晶パネルを内部に収容した状態のフロントケースをバックケース１１、もしくは上ケース３０と嵌合させて固定保持することにより、面光源装置を備えた液晶表示装置を構成することができる。
【００２２】
このように構成されている面光源装置の各構成要素の相互間の関連につき、更に詳細に説明する。
【００２３】
発光ユニット２４を構成する反射シート１７上に載置される導光板１８の側面には、ランプ１９が配置されている。このとき、図４に示すように、反射シート１７のランプ１９が配置される部分の端部を導光板１８側に、図中の矢印のように折返して、ランプ１９を導光板１８側面との間に挟持するように反射シート１７を成形することで、反射シート１７にリフレクタとしての機能をも併せ持たせている。また、その他の辺に相当する反射シート１７部分も導光板１８側面側に折り返すことで、導光板１８端面での反射体として機能させることを可能にしている。
【００２４】
なお、図４においては、説明の便宜上、図中上側の反射シート１７のみを折り返すように説明しているが、図中下側の反射シート１７においても同様の構成を採っており、図示のものでは、この反射シート１７を折り返して、内部にランプ（図中破線にて示す）１９を収容した状態を示している。
【００２５】
このランプ１９の両端には、上述のようにランプホルダー２０，２１が嵌合されており、このため導光板１８には、その一側面にランプホルダー２０，２１を当接させることにより、導光板１８の側面にランプ１９を対向配置させるために、このランプホルダー２０，２１を導光板１８の角部に位置させて位置決めされるように、導光板１８の各角部にランプホルダー係止部２２が形成されている。
【００２６】
なお、この係止部２２は必要に応じて形成すればよく、ランプホルダー２０，２１が導光板１８の角部分に直接係止できる構成を採れるのであれば、係止部２２を省略することも可能である。
【００２７】
このランプホルダー２０，２１には、更に、ランプ１９の両端電極とランプホルダー２０，２１内部で電気的に接続された駆動電圧供給用のリード線３３，３４が係止されている。このリード線３３，３４は、上記バックケース１１に設けた切欠部１５に対応する位置に配置されたリード線支持板３５に誘引されており、このリード線支持板３５から外部に導出されて、夫々のプラグ３６と接続されている。
【００２８】
その際に、このリード線支持板３５から離れている一方のランプホルダー２０においては、図４に示す構成を反対面側（バックケース側）から見た状態を図５にて示すように、ランプ１９からのリード線３３は、ランプ１９の下側に沿うようにランプホルダー２０から導出され、更に、このリード線３３は、他方のランプホルダー２１にて保持され、このランプホルダー２１からは２本のリード線３３，３４が導出されて、リード線支持板３５に導かれている。この構成は、対向する他方のランプ１９側についても同様な構成を採っている。
【００２９】
従って、ランプ１９とリード線３３及び反射シート１７の関係を示すと、図６に示すように、ランプ１９とリード線３３との間に反射シート１７が位置し、この反射シート１７を折り返してリフレクタとして機能する反射シート１７の端面部分がランプ１９の上面側に位置している。
【００３０】
即ち、ランプ１９のリード線３３は、一方のランプホルダー２０から他方のランプホルダー２１側にランプ１９と略平行となるように、ランプ１９とは所定の間隔を保持しながら上下２段構成の状態で、反射シート１７の外側を迂回して配線されることになる。
【００３１】
換言すれば、ランプ１９とリード線３３とが、導光板１８の厚さ方向に対して上下２段に所定の間隔を設けて配置され、この隙間部分にランプ１９とリード線３３を分離するように反射シート１７を介在させる構成を採っているものである。
【００３２】
このような構成を採るためのランプホルダー２０，２１について、図７及び図８を参照しながら更に詳細に説明する。
【００３３】
図７は、ランプ１９からのリード線３３をランプ１９と略平行となるように折り返すための一方のランプホルダー２０を示すものであって、図７（ａ）は斜視図を、図７（ｂ）は正面図を示している。
【００３４】
このランプホルダー２０は、ランプ１９の電極部分を被覆するとともに、この電極と接続されたリード線３３を保持するためのもので、ゴム材や弾性合成樹脂等から、平面的にはＬ字状の柱形に本体３７が形成されている。このランプホルダー２０の本体３７部分には、ランプ１９の一端部、即ち、電極部分を嵌合するための有底円筒状のランプ嵌合孔３８が形成されている。このランプ嵌合孔３８と連通して、その下側にはリード線保持孔３９が形成されている。
【００３５】
また、本体３７の上面は３段に形成されており、この最下段の上平面部４０は、反射シート１７の折り返し部分が載置される面として利用され、また中間の平面部４１は、光学シート２８等の載置面として利用されるものであるが、最上段の平面部４２を光学シート２８の載置面として利用することも可能である。また、この中間の平面部４１を省略して２段構成とし、最上段の平面部４２を光学シート２８の載置面として利用することも可能で、これらの細部の構成については、種々の変形が可能である。
【００３６】
この本体３７のランプ嵌合孔３８が設けられた端面とは反対側端面からは、この本体３７と直交する方向に一体に延在した係止片４３が形成されている。この係止片４３は、本体３７との間で導光板１８の角部と係止するためのもので、ランプホルダー２０の位置規制のために用いられている。
【００３７】
なお、図７においては、一対のランプ１９のうち、片側のランプホルダー２０についてのみ図示しているが、他方側のランプ１９のランプホルダー２０については、左右反転した状態のランプホルダー２０が使用されるもので、基本的な構成は同等なものとなっている。
【００３８】
一方、ランプ１９の他方側端部に装着される他方側ランプホルダー２１は、図８に示すように構成されている。
【００３９】
なお、図８（ａ）はランプホルダー２１の斜視図を、同（ｂ）は正面図を示している。
【００４０】
このランプホルダー２１も、先の一方側のランプホルダー２０と同様に、ランプ１９の電極部分を被覆するとともに、この電極と接続されたリード線３４、及び一方側のランプホルダー２０からのリード線３３を保持するためのもので、ゴム材や弾性合成樹脂等から、平面的にはＬ字状の柱形に本体４４が形成されている。このランプホルダー２１の本体４４部分には、ランプ１９の一端部、即ち、電極部分を嵌合するための有底円筒状のランプ嵌合孔４５が形成されている。
【００４１】
このランプ嵌合孔４５に嵌合されたランプ１９の電極に接続されるリード線３４は、ランプ１９に沿わせて折り返す必要がないため、本体４４からＬ字状に略直角方向に突出する係止部４６に設けたリード線保持孔４７を介して外部に導出される構成を採っているもので、図７にて説明した一方のランプホルダー２０とは、その構成を相違させている。
【００４２】
更に、この本体４４及び係止部４６の下側部分、即ち、ランプ１９と平行となる底面部分とリード線３４と平行となる底面部分には、夫々本体４４及び係止部４６と平行となるように互いに対向する舌片４８からなるリード線保持部４９が形成されている。この互いに対向する舌片４８の内側には、リード線３３を案内するための凹溝５０が形成されている。このリード線保持部４９によって、一方のランプホルダー２０から導出され、ランプ１９に沿わせて導出されてきたリード線３３は、図５に示すように、この他方のランプホルダー２１下面に形成した各リード線保持部４９に係止され、このランプホルダー２１の形状に沿うようにＬ字状に折り曲げられて、リード線支持板３５に導かれるものである。
【００４３】
なお、本体４４の上面は３段に形成されており、これら３段の平面部については、図７にて説明した一方のランプホルダー２０の場合と同様な機能を有しており、同一符号を付すことによって、その詳細な説明は省略する。
【００４４】
また、図８においては一対のランプ１９のうち、片側のランプホルダー２１についてのみ図示しているが、他方側のランプ１９のランプホルダー２１については、左右反転した状態のランプホルダー２１が使用されるもので、基本的な構成は同等なものとなっている。
【００４５】
このように、ランプ１９の両端に嵌合される一対のランプホルダー２０，２１によって、一方のランプホルダー２０から導出されたリード線３３は、ランプ１９と所定の間隔を保持しながら他方のランプホルダー２１まで略平行に配置されることになり、他方のランプホルダー２１からランプ１９両端の電極部分に接続された２本のリード線３３，３４が纏めて導出されることとなり、これらリード線３３，３４は、バックケース１１の切欠部１５からリード線支持板３５を介して外部の導出されるものである。
【００４６】
このように、ランプ１９に対してリード線３３を略平行に引き廻すことは、実質リード線３３の上にランプ１９が位置する二重の形態を採るようになるために、リード線３３部分のみをバックケース１１の凹部１４中に導入して引き廻すことが可能となるために、狭額縁化に対応させることが可能となる。
【００４７】
しかも、リード線３３がバックケース１１の凹部１４内を通るように配線されるため、特別に固定ボス等の部材も使用しないので、作業時等に不用意にリード線３３を引っ掛けたりするような、外力による損傷を未然に防止することができる。
【００４８】
また、ランプ１９とリード線３３との隙間部分に反射シート１７を介在させるように構成すれば、リード線３３は、発光部分からは完全に分離遮断されるので、バックケース１１中にリード線３３が存在していても何等光源としての機能には悪影響を及ぼすことがない。
【００４９】
更に、バックケース１１の底板１２の裏面に配線基板３２を配置するようにすれば、凹部１４によって形成される区画部分を有効利用でき、しかも配線基板３２をこの底板１２部分に収容することも可能で、配線基板３２とバックケース１１とを一体化し得る。
【００５０】
なお、上記実施の形態においては、直管状のランプ１９を導光板１８の対向する一側面に配置した構成を採っているが、導光板１８の対向する両側面に一対のランプ１９を夫々配置した構成や、一側面にのみ単一のランプ１９を配置した場合にも適用が可能であり、更に、Ｌ字状のランプ１９を採用した場合にも同様に適用し得るものであって、その他の構成要素についても種々の応用や変形が可能なことは言うまでもない。
【図面の簡単な説明】
【００５１】
【図１】本発明に係る面光源装置を示す分解斜視図。
【図２】同じく面光源装置を構成するバックケースを示す正面図。
【図３】同じくバックケースを示す背面図。
【図４】同じく面光源装置を構成する発光ユニットを示す正面図。
【図５】同じく発光ユニットを示す背面図。
【図６】同じく発光ユニットを示す一部抜粋切欠側面図。
【図７】同じく面光源装置を構成する一方側のランプホルダーを示す図で、同（ａ）は斜視図、同（ｂ）は正面図。
【図８】同じく面光源装置を構成する他方側のランプホルダーを示す図で、同（ａ）は斜視図、同（ｂ）は正面図。
【符号の説明】
【００５２】
１１…バックケース
１４…凹部
１７…反射シート
１８…導光板
１９…ランプ
２０，２１…ランプホルダー
３２…配線基板
３３…リード線
【図１】
2007035481.tif 000003
【図２】
2007035481.tif 000004
【図３】
2007035481.tif 000005
【図４】
2007035481.tif 000006
【図５】
2007035481.tif 000007
【図６】
2007035481.tif 000008
【図７】
2007035481.tif 000009
【図８】
2007035481.tif 000010